(57)【特許請求の範囲】
【請求項１】
原稿の画像を読み取って画像を形成する画像形成装置において、
表示部を有して操作入力を行う入力手段と、
この入力手段の上記表示部に電源が入力されていることを表示可能な初期表示データと圧縮されたプログラムが記憶されている記憶手段と、
電源が入力されたことを検出する検出手段と、
この検出手段で電源の入力が検出された際、上記記憶手段に記憶されている上記入力手段の上記表示部に電源が入力されていることを表示可能な初期表示データを上記記憶手段に記憶されている圧縮されたプログラムに先立って読み出して上記入力手段の表示部に初期表示する制御を行う第１の制御手段と、
この第１の制御手段の制御で上記入力手段の表示部が初期表示された際、上記記憶手段に記憶されている圧縮されたプログラムのうち上記入力手段の操作入力を受け付けるための最低限必要なプログラムのみを読み出して伸長し、この伸長したプログラムを実行する制御を行う第２の制御手段と、
この第２の制御手段の制御で上記入力手段の操作入力を受け付けるための最低限必要なプログラムが実行された際、上記記憶手段に記憶されている残りの圧縮されたプログラムを読み出して伸長し、この伸長したプログラムを実行する制御を行う第３の制御手段と、
を具備したことを特徴とする画像形成装置。
【発明の詳細な説明】
【０００１】
【発明の属する技術分野】
この発明は、原稿をスキャナで走査して画像を読取って画像を形成するデジタル複写機等の画像形成装置に関する。
【０００２】
【従来の技術】
画像形成装置としてのデジタル複写機（ＤＰＰＣ）において、装着されているＲＯＭの容量を減らすためにプログラムを圧縮してＲＯＭに格納している装置では、電源オン後、まずプログラムを伸長してからプログラムを実行して装置を動作させていた。
【０００３】
従来、プログラムの容量を減らすためにプログラムを圧縮していた装置では、電源オン時、最初に実行するブートプログラムでＲＯＭやハードディスク（ＨＤＤ）内に圧縮して記憶されていたプログラムを伸長しながらＲＡＭへ記録していた。この場合、表示及び入力の操作を行うパネル（操作パネル）への表示は、ＲＡＭ上に記載されたプログラムで実施されていたため、プログラムが大きいと伸長に時間がかかるため、ユーザはパネルに表示が出るまで待たされ、正常に電源オンしていないと誤認しやすい欠点があった。
【０００４】
図９は、従来の電源オン開始からの処理のフローチャートを示すもので、ブートプログラムにはステップＳ２１０以下のプログラムが記載されている。電源オン時、ＣＰＵは圧縮されているプログラムをＲＯＭからリードする（Ｓ２１０）。ＣＰＵは、プログラムを伸長した後（Ｓ２２０）、伸長後のプログラムをＲＡＭに格納する（Ｓ２３０）。ＣＰＵは、プログラムがすべて伸長されＲＡＭに格納されると、ＲＡＭ上の伸長されたプログラムの実行を開始し（Ｓ２４０）、パネルに表示データを転送するプログラムを実行し（Ｓ２５０）、パネルにデータが表示される。
【０００５】
また、電源オン時に特定のキーが押されていることをチェックする必要がある場合は、従来の方法では伸長されたプログラムが動作しはじめるまでキーを押し続けなければならない欠点があった。
【０００６】
このように、デジタル複写機では電源オン時に、通常の電源オンかサービスマンが調整用にオンしたのかを区別して以後の処理を変えることが実施されている。例えば、電源オン時に特定のキーを押されている時はサービスマン用の調整プログラムをスタートさせる。何もキーが押されていない時は通常のスタートとする。
【０００７】
図９は、従来の電源オン時に特定のキーが押された場合の処理のフローチャートを示すもので、ＣＰＵは、電源オンされリセット信号が入るとＲＯＭから圧縮されているプログラムをリードする（Ｓ３１０）。そして、ＣＰＵは、プログラムを伸長した後（Ｓ３２０）、伸長後のプログラムをＲＡＭに格納する（Ｓ３３０）。
【０００８】
ＣＰＵは、プログラムがすべて伸長されＲＡＭに格納されると伸長されたプログラムでの動作を開始し（Ｓ３４０）、パネルの解析プログラムを開始する（Ｓ３５０）。ＣＰＵは、パネルキーが押されているか否かをチェックし（Ｓ３６０）、押されている場合はパネルにサービスマン用の表示を出し（Ｓ３８０）、サービスマン用の動作を開始する。また、ＣＰＵは、ステップＳ３６０でパネルキーが押されていない場合はパネルに通常の画面を表示し（Ｓ３７０）、通常の動作を開始する。
【０００９】
このように、従来例では、パネルの表示が出るまで時間がかかったり、電源オン時のパネルキーの状況のチェックができるまで時間がかかる欠点があった。特に、電源オン時にパネルキーを押していることを検出する時には、プログラムの伸長が終了し、伸長されたプログラムでの動作が開始し、パネルのキー解析プログラムがスタートするまでキーを押し続けなければならない欠点が有った。
【００１０】
【発明が解決しようとする課題】
上記したように、プログラムの容量を減らすためにプログラムを圧縮していた装置では、電源オン時、最初に実行するブートプログラムでＲＯＭやハードディスク（ＨＤＤ）内に圧縮して記憶されていたプログラムを伸長しながらＲＡＭに記録しているが、プログラムが大きいと伸長に時間がかかるため、ユーザはパネルに表示が出るまで待たされ、正常に電源オンしていないと誤認しやすく、また、電源オン時に特定のキーが押されていることをチェックする必要がある場合は、従来の方法では伸長されたプログラムが動作しはじめるまでキーを押し続けなければならないという問題があった。
【００１１】
そこで、この発明は、ＲＯＭにプログラムを圧縮して記憶している場合の電源オン時、パネルの表示を速やかに行うとともに特定キーを押し続ける必要のない画像形成装置を提供することを目的とする。
【００１２】
【課題を解決するための手段】
この発明の画像形成装置は、表示部を有して操作入力を行う入力手段と、この入力手段の上記表示部に電源が入力されていることを表示可能な初期表示データと圧縮されたプログラムが記憶されている記憶手段と、電源が入力されたことを検出する検出手段と、この検出手段で電源の入力が検出された際、上記記憶手段に記憶されている上記入力手段の上記表示部に電源が入力されていることを表示可能な初期表示データを上記記憶手段に記憶されている圧縮されたプログラムに先立って読み出して上記入力手段の表示部に初期表示する制御を行う第１の制御手段と、この第１の制御手段の制御で上記入力手段の表示部が初期表示された際、上記記憶手段に記憶されている圧縮されたプログラムのうち上記入力手段の操作入力を受け付けるための最低限必要なプログラムのみを読み出して伸長し、この伸長したプログラムを実行する制御を行う第２の制御手段と、この第２の制御手段の制御で上記入力手段の操作入力を受け付けるための最低限必要なプログラムが実行された際、上記記憶手段に記憶されている残りの圧縮されたプログラムを読み出して伸長し、この伸長したプログラムを実行する制御を行う第３の制御手段と、
から構成されている。
【００２０】
【発明の実施の形態】
以下、この発明の一実施の形態について図面を参照して説明する。
図１は、この発明の画像形成装置に係るデジタル複写機（ＤＰＰＣ）の内部構造を示す断面図である。
【００２１】
図１に示すように、デジタル複写機は装置本体１０を備え、この装置本体１０内には、画像読取装置として機能するスキャナ部４、および画像形成手段として機能するプリンタ部６が設けられている。
【００２２】
装置本体１０の上面には、読取対象物、つまり原稿Ｄが載置される透明なガラスからなる原稿載置台１２が設けられている。また、装置本体１０の上面には、原稿載置台１２上に原稿を自動的に送る自動原稿送り装置７（以下、ＡＤＦと称する）が配設されている。このＡＤＦ７は、原稿載置台１２に対して開閉可能に配設され、原稿載置台１２に載置された原稿Ｄを原稿載置台１２に密着させる原稿押さえとしても機能する。
【００２３】
ＡＤＦ７は、原稿Ｄがセットされる原稿トレイ８、原稿の有無を検出するエンプティセンサ９、原稿トレイ８から原稿を一枚づつ取り出すピックアップローラ１４、取り出された原稿を搬送する給紙ローラ１５、原稿の先端を整位するアライニングローラ対１６、原稿載置台１２のほぼ全体を覆うように配設された搬送ベルト１８を備えている。そして、原稿トレイ８に上向きにセットされた複数枚の原稿は、その最下の頁、つまり、最終頁から順に取り出され、アライニングローラ対１６により整位された後、搬送ベルト１８によって原稿載置台１２の所定位置へ搬送される。
【００２４】
ＡＤＦ７において、搬送ベルト１８を挟んでアライニングローラ対１６と反対側の端部には、反転ローラ２０、非反転センサ２１、フラッパ２２、排紙ローラ２３が配設されている。後述するスキャナ部４により画像情報の読取られた原稿Ｄは、搬送ベルト１８により原稿載置台１２上から送り出され、反転ローラ２０、フラッパ２１、および排紙ローラ２２を介してＡＤＦ７上面の原稿排紙部２４上に排出される。原稿Ｄの裏面を読取る場合、フラッパ２２を切換えることにより、搬送ベルト１８によって搬送されてきた原稿Ｄは、反転ローラ２０によって反転された後、再度搬送ベルト１８により原稿載置台１２上の所定位置に送られる。
【００２５】
装置本体１０内に配設されたスキャナ部４は、原稿載置台１２に載置された原稿Ｄを照明する光源としての露光ランプ２５、および原稿Ｄからの反射光を所定の方向に偏向する第１のミラー２６を有し、これらの露光ランプ２５および第１のミラー２６は、原稿載置台１２の下方に配設された第１のキャリッジ２７に取り付けられている。
【００２６】
第１のキャリッジ２７は、原稿載置台１２と平行に移動可能に配置され、図示しない歯付きベルト等を介して後述するスキャニングモータ３５により、原稿載置台１２の下方を往復移動される。
【００２７】
また、原稿載置台１２の下方には、原稿載置台１２と平行に移動可能な第２のキャリッジ２８が配設されている。第２のキャリッジ２８には、第１のミラー２６により偏向された原稿Ｄからの反射光を順に偏向する第２および第３のミラー３０、３１が互いに直角に取り付けられている。第２のキャリッジ２８は、第１のキャリッジ２７を駆動する歯付きベルト等により、第１のキャリッジ２７に対して従動されるとともに、第１のキャリッジに対して、１／２の速度で原稿載置台１２に沿って平行に移動される。
【００２８】
また、原稿載置台１２の下方には、第２のキャリッジ２８上の第３のミラー３１からの反射光を集束する結像レンズ３２と、結像レンズにより集束された反射光を受光して光電変換するＣＣＤ（光電変換素子）３４とが配設されている。結像レンズ３２は、第３のミラー３１により偏向された光の光軸を含む面内に、駆動機構を介して移動可能に配設され、自身が移動することで反射光を所望の倍率で結像する。そして、ＣＣＤ３４は、入射した反射光を光電変換し、読み取った原稿Ｄに対応する電気信号を出力する。
【００２９】
一方、プリンタ部６は、潜像形成手段として作用するレーザ露光装置４０を備えている。レーザ露光装置４０は、光源としての半導体レーザ４１と、半導体レーザ４１から出射されたレーザ光を連続的に偏向する走査部材としてのポリゴンミラー３６と、ポリゴンミラー３６を後述する所定の回転数で回転駆動する走査モータとしてもポリゴンモータ３７と、ポリゴンミラーからのレーザ光を偏向して後述する感光体ドラム４４へ導く光学系４２とを備えている。このような構成のレーザ露光装置４０は、装置本体１０の図示しない支持フレームに固定支持されている。
【００３０】
半導体レーザ４１は、スキャナ部４により読取られた原稿Ｄの画像情報、あるいはファクシミリ送受信文書情報等に応じてオン・オフ制御され、このレーザ光はポリゴンミラー３６および光学系４２を介して感光体ドラム４４へ向けられ、感光体ドラム４４周面を走査することにより感光体ドラム４４周面上に静電潜像を形成する。
【００３１】
また、プリンタ部６は、装置本体１０のほぼ中央に配設された像担持体としての回転自在な感光体ドラム４４を有し、感光体ドラム４４周面は、レーザ露光装置４０からのレーザ光により露光され、所望の静電潜像が形成される。感光体ドラム４４の周囲には、ドラム周面を所定の電荷に帯電させる帯電チャージャ４５、感光体ドラム４４周面上に形成された静電潜像に現像剤としてのトナーを供給して所望の画像濃度で現像する現像器４６、後述する用紙カセットから給紙された被転写材、つまり、コピー用紙Ｐを感光体ドラム４４から分離させるための剥離チャージャ４７を一体に有し、感光体ドラム４４に形成されたトナー像を用紙Ｐに転写させる転写チャージャ４８、感光体ドラム４４周面からコピー用紙Ｐを剥離する剥離爪４９、感光体ドラム４４周面に残留したトナーを清掃する清掃装置５０、および、感光体ドラム４４周面の除電する除電器５１が順に配置されている。
【００３２】
装置本体１０内の下部には、それぞれ装置本体から引出し可能な上段カセット５２、中段カセット５３、下段カセット５４が互いに積層状態に配設され、各カセット内にはサイズの異なるコピー用紙が装填されている。これらのカセットの側方には大容量フィーダ５５が設けられ、この大容量フィーダ５５には、使用頻度の高いサイズのコピー用紙Ｐ、例えば、Ａ４サイズのコピー用紙Ｐが約３０００枚収納されている。また、大容量フィーダ５５の上方には、手差しトレイ５６を兼ねた給紙カセット５７が脱着自在に装着されている。
【００３３】
装置本体１０内には、各カセットおよび大容量フィーダ５５から感光体ドラム４４と転写チャージャ４８との間に位置した転写部を通って延びる搬送路５８が形成され、搬送路５８の終端には定着ランプ６０ａを有する定着装置６０が設けられている。定着装置６０に対向した装置本体１０の側壁には排出口６１が形成され、排出口６１にはシングルトレイのフィニッシャ１５０が装着されている。
【００３４】
上段カセット５２、中段カセット５３、下段カセット５４、給紙カセット５７の近傍および大容量フィーダ５５の近傍には、カセットあるいは大容量フィーダから用紙Ｐを一枚づつ取り出すピックアップローラ６３がそれぞれ設けられている。また、搬送路５８には、ピックアップローラ６３により取り出されたコピー用紙Ｐを搬送路５８を通して搬送する多数の給紙ローラ対６４が設けられている。
【００３５】
搬送路５８において感光体ドラム４４の上流側にはレジストローラ対６５が設けられている。レジストローラ対６５は、取り出されたコピー用紙Ｐの傾きを補正するとともに、感光体ドラム４４上のトナー像の先端とコピー用紙Ｐの先端とを整合させ、感光体ドラム４４周面の移動速度と同じ速度でコピー用紙Ｐを転写部へ給紙する。レジストローラ対６５の手前、つまり、給紙ローラ６４側には、コピー用紙Ｐの到達を検出するアライニング前センサ６６が設けられている。
【００３６】
ピックアップローラ６３により各カセットあるいは大容量フィーダ５５から１枚づつ取り出されたコピー用紙Ｐは、給紙ローラ対６４によりレジストローラ対６５へ送られる。そして、コピー用紙Ｐは、レジストローラ対６５により先端が整位された後、転写部に送られる。
【００３７】
転写部において、感光体ドラム４４上に形成された現像剤像、つまり、トナー像が、転写チャージャ４８により用紙Ｐ上に転写される。トナー像の転写されたコピー用紙Ｐは、剥離チャージャ４７および剥離爪４９の作用により感光体ドラム４４周面から剥離され、搬送路５２の一部を構成する搬送ベルト６７を介して定着装置６０に搬送される。そして、定着装置６０によって現像剤像がコピー用紙Ｐに溶融定着さた後、コピー用紙Ｐは、給紙ローラ対６８および排紙ローラ対６９により排出口６１を通してフィニッシャ１５０上へ排出される。
【００３８】
搬送路５８の下方には、定着装置６０を通過したコピー用紙Ｐを反転して再びレジストローラ対６５へ送る自動両面装置７０が設けられている。自動両面装置７０は、コピー用紙Ｐを一時的に集積する一時集積部７１と、搬送路５８から分岐し、定着装置６０を通過したコピー用紙Ｐを反転して一時集積部７１に導く反転路７２と、一時集積部に集積されたコピー用紙Ｐを一枚づつ取り出すピックアップローラ７３と、取り出された用紙を搬送路７４を通してレジストローラ対６５へ給紙する給紙ローラ７５とを備えている。また、搬送路５８と反転路７２との分岐部には、コピー用紙Ｐを排出口６１あるいは反転路７２に選択的に振り分ける振り分けゲート７６が設けられている。
【００３９】
両面コピーを行う場合、定着装置６０を通過したコピー用紙Ｐは、振り分けゲート７６により反転路７２に導かれ、反転された状態で一時集積部７１に一時的に集積された後、ピックアップローラ７３および給紙ローラ対７５により、搬送路７４を通してレジストローラ対６５へ送られる。そして、コピー用紙Ｐはレジストローラ対６５により整位された後、再び転写部に送られ、コピー用紙Ｐの裏面にトナー像が転写される。その後、コピー用紙Ｐは、搬送路５８、定着装置６０および排紙ローラ６９を介してフィニッシャ１５０に排紙される。
【００４０】
フィニッシャ１５０は排出された一部構成の文書を一部単位でステープル止めし貯めていくものである。ステープルするコピー用紙Ｐが一枚排出口６１から排出される度にガイドバー１５１にてステープルされる側に寄せて整合する。全てが排出され終わると紙押えアーム１５２が排出された一部単位のコピー用紙Ｐを抑えステープラユニット（図示しない）がステープル止めを行う。その後、ガイドバー１５１が下がり、ステープル止めが終わったコピー用紙Ｐはその一部単位でフィニッシャ排出ローラ１５５にてそのフィニッシャ排出トレイ１５４に排出される。フィニッシャ排出トレイ１５４の下がる量は排出されるコピー用紙Ｐの枚数によりある程度決められ、一部単位に排出される度にステップ的に下がる。また排出されるコピー用紙Ｐを整合するガイドバー１５１はフィニッシャ排出トレイ１５４上に載った既にステープル止めされたコピー用紙Ｐに当たらないような高さの位置にある。
【００４１】
また、フィニッシャ排出トレイ１５４は、ソートモード時、一部ごとにシフト（たとえば、前後左右の４つの方向へ）するシフト機構（図示しない）に接続されている。
【００４２】
また、装置本体１０の前面上部には、様々な複写条件の表示、並びに複写動作を開始させる複写開始信号などを入力するパネル１００が設けられている。
図２は、デジタル複写機の制御システムの構成を示すものである。すなわち、デジタル複写機は、パネル１００、電源検出回路１０１、全体の制御を司るＣＰＵ１０２、圧縮されたプログラムを記憶しているＲＯＭ１０３、各種情報を記憶するＲＡＭ１０４、ハードディスク（ＨＤＤ）１０６、ＨＤＤ１０６のハードディスク装置（ＨＤＤドライバ）１０７、及びこれらを接続するバス１０８から構成されている。
【００４３】
このような構成のデジタル複写機において、電源がオンされると、電源検出回路１０１からＣＰＵ１０２にリセット信号が入力される。ＣＰＵ１０２は、リセット信号を受けるとＲＯＭ１０３上のブートアドレスに記載されているブートプログラムの実行を開始する。
【００４４】
次に、このような構成において、第１実施例の電源オン開始からの処理動作を図３のフローチャートを参照して説明する。なお、詳しくは後述するが本実施例のＲＯＭ１０３においては、パネル１００への初期表示データが予め記憶されている。この場合の初期表示データは、データ量が少ないので圧縮してあっても良く、そのまま記憶されていても良い。
【００４５】
電源オン時、ＣＰＵ１０２は、電源検出回路１０１からリセット信号が入った際、まず、ＲＯＭ１０３から表示データを読み出してパネル１００に表示データを転送し、パネルに初期表示する（Ｓ４１０）。その後，ＣＰＵ１０２は、圧縮されているプログラムをＲＯＭ１０３からリードする（Ｓ４２０）。ＣＰＵ１０２は、リードしたプログラムを伸長した後、そのプログラムをＲＡＭ１０４に格納する（Ｓ４３０）。プログラムがすべて伸長されＲＡＭ１０４に格納されると（Ｓ４４０）、ＣＰＵ１０２は、ＲＡＭ１０４上の伸長されたプログラムの動作を開始する。
【００４６】
次に、第２実施例の電源オン開始からの処理動作を図４のフローチャートを参照して説明する。なお、本実施例のＲＯＭ１０３においても、パネル１００への初期表示データが予め記憶されている。
【００４７】
電源オン時、ＣＰＵ１０２は、電源検出回路１０１からリセット信号が入った際、まず、ＲＯＭ１０３から表示データを読み出してパネル１００に表示データを転送し、パネルに初期表示する（Ｓ５１０）。続いてＣＰＵ１０２は、すぐにプログラムを伸長せずにパネル１００のキーを解析するプログラムなどの最低限のプログラムのみを伸長して、このプログラムを開始して実行する（Ｓ５２０）。
【００４８】
その後、ＣＰＵ１０２は、圧縮されているプログラムをＲＯＭ１０３からリードし（Ｓ５３０）、リードしたプログラムを伸長した後（Ｓ５４０）、伸長後のプログラムをＲＡＭ１０４に格納し（Ｓ５５０）、ＲＡＭ１０４上の伸長されたプログラムの動作を開始する。
【００４９】
次に、第３実施例の電源オン開始からの処理動作を図５のフローチャートを参照して説明する。
電源オン時、ＣＰＵ１０２は、電源検出回路１０１からリセット信号が入った際、ＲＯＭ１０３からパネル１００のキーを解析するプログラムのみを伸長して、このプログラムを開始実行する（Ｓ６１０）。ＣＰＵ１０２は、このプログラムに基づいてパネル１００で特定のキーが押されているか否かをチェックする（Ｓ６２０）。
【００５０】
ここでＣＰＵ１０２は、特定のキーが押されていなかったらパネル１００に、図６に示す通常の画面を表示する（Ｓ６２６）。また、ＣＰＵ１０２は、特定のキーが押されていたら、特定のキーが押されていることを記憶するとともに、パネル１００に、図７に示すサービスマン用の画面を表示する（Ｓ６２４）。
【００５１】
このようにしてパネル１００に画面表示した後、ＣＰＵ１０２は、圧縮されているプログラムをＲＯＭ１０３からリードし（Ｓ６３０）、リードしたプログラムを伸長した後（Ｓ６４０）、伸長後のプログラムをＲＡＭ１０４に格納し（Ｓ６５０）、ＲＡＭ１０４上の伸長されたプログラムの動作を開始する（Ｓ６６０）。
【００５２】
続いてＣＰＵ１０２は、特定のキーが押されていたことが記憶されているかをチェックし（Ｓ６７０）、記憶されていたらサービスマン用の調整プログラムの動作を開始し、記憶されていなかったら通常の動作を開始する。
【００５３】
なお、本実施例では、プログラムの伸長前にパネル１００のキー解析プログラムをスタートさせるのでユーザがキーを押し続ける必要はない。
次に、第４実施例の電源オン開始からの処理動作を図８のフローチャートを参照して説明する。
【００５４】
電源オン時、ＣＰＵ１０２は、電源検出回路１０１からリセット信号が入った際、ＲＯＭ１０３からパネル１００のキーを解析するプログラムのみを伸長して、このプログラムを開始実行する（Ｓ７１０）。ＣＰＵ１０２は、このプログラムに基づいてパネル１００で特定のキーが押されているか否かをチェックする（Ｓ７２０）。
【００５５】
ここでＣＰＵ１０２は、特定のキーが押されていたらパネル１００に、図７に示すサービスマン用の画面を表示し（Ｓ７３０）、続いて圧縮されているプログラムをＲＯＭ１０３からリードし（Ｓ７４０）、リードしたプログラムを伸長し（Ｓ７５０）、伸長後のプログラムをＲＡＭ１０４に格納し（Ｓ７６０）、ＲＡＭ１０４上の伸長されたプログラムの動作を開始し（Ｓ７７０）、サービスマン用の動作を開始する。
【００５６】
また、ＣＰＵ１０２は、特定のキーが押されていなかったらパネル１００に、図６に示す通常の画面を表示し（Ｓ７３５）、続いて圧縮されているプログラムをＲＯＭ１０３からリードし（Ｓ７４５）、リードしたプログラムを伸長し（Ｓ７５５）、伸長後のプログラムをＲＡＭ１０４に格納し（Ｓ７６５）、ＲＡＭ１０４上の伸長されたプログラムの動作を開始し（Ｓ７７５）、通常の動作を開始する。
【００５７】
なお、上記実施例では、圧縮したプログラムはＲＯＭ１０３内に記憶されているとして説明したが、ＲＯＭ１０３の代わりにＨＤＤ１０６内に記憶されていても良い。この場合、圧縮されたプログラムは、ＨＤＤ１０６からＨＤＤドライバ１０７を経由してＲＡＭ１０４に伸長されて記憶される。
【００５８】
以上説明したように上記発明の実施の形態によれば、プログラム伸長前にパネルに表示を出すので、ユーザは電源が正常にオンしていることを直ちに認識することが可能となる。
また、プログラムの伸長前にパネルのキー解析プログラムをスタートさせるのでユーザはキーを押し続ける必要がなくなる。
【００５９】
【発明の効果】
以上詳述したようにこの発明によれば、ＲＯＭにプログラムを圧縮して記憶している場合の電源オン時、パネルの表示を速やかに行うとともに特定キーを押し続ける必要のない画像形成装置を提供することができる。
【図面の簡単な説明】
【図１】この発明の画像形成装置に係るデジタル複写機の概略構成を示す図。
【図２】デジタル複写機の制御システムを示すブロック構成図。
【図３】この発明の第１実施例に係る処理動作を説明するためのフローチャート。
【図４】この発明の第２実施例に係る処理動作を説明するためのフローチャート。
【図５】この発明の第３実施例に係る処理動作を説明するためのフローチャート。
【図６】通常の画面表示の例を示す図。
【図７】サービスマン用の画面表示の例を示す図。
【図８】この発明の第４実施例に係る処理動作を説明するためのフローチャート。
【図９】従来の処理動作を説明するためのフローチャート。
【図１０】従来の処理動作を説明するためのフローチャート。
【符号の説明】
４…スキャナ部
６…プリンタ部
１００…パネル（入力手段）
１０１…電源検出回路（検出手段）
１０２…ＣＰＵ（制御手段）
１０３…ＲＯＭ（記憶手段）
１０４…ＲＡＭ
１０６…ハードディスク（ＨＤＤ）
１０７…ハードディスク装置（ＨＤＤドライバ）
１０８…バス
【図１】
0003883693.tif 000002
【図２】
0003883693.tif 000003
【図３】
0003883693.tif 000004
【図４】
0003883693.tif 000005
【図５】
0003883693.tif 000006
【図６】
0003883693.tif 000007
【図７】
0003883693.tif 000008
【図８】
0003883693.tif 000009
【図９】
0003883693.tif 000010
【図１０】
0003883693.tif 000011